(57)【要約】【課題】  消火薬剤充填容器をホース格納箱と分離し、両者を個別に設置すると共に、ホース格納箱を自走式駐車場の床面から所定の高さに上げることで、自走式駐車場の柱の車路側に設置されたホース格納箱の張り出し量を抑えると共に、プロテクタの設置を省略することである。【解決手段】  蓄圧式消火薬剤充填容器３と、この蓄圧式消火薬剤充填容器３に充填された消火薬剤を放出させるための放出弁１１及びこの放出弁１１を介して前記蓄圧式消火薬剤充填容器３に接続され、先端に噴射ノズル１０を有する消火ホース４が収納されたホース格納箱２とが分離して設けられ、前記ホース格納箱２が自走式駐車場の柱１６の車路側１８ａであって、且つ前記自走式駐車場の床面１７から所定の高さで柱１６の壁に固定されている。【選択図】  図１
2017000218.tif 000002
【特許請求の範囲】
【請求項１】
消火薬剤充填容器と、この消火薬剤充填容器に充填された消火薬剤を放出させるための放出弁及びこの放出弁を介して前記消火薬剤充填容器に接続され、先端に噴射ノズルを有する消火ホースが収納されたホース格納箱とが分離して設けられ、
前記ホース格納箱が自走式駐車場の柱の車路側であって、且つ前記自走式駐車場の床面から所定の高さで柱の壁に固定されていることを特徴とする移動粉末消火設備。
【請求項２】
前記消火薬剤充填容器は、蓄圧式消火薬剤充填容器である請求項１に記載の移動粉末消火設備。
【請求項３】
前記ホース格納箱は前面に開閉扉を有し、この開閉扉に設けられた開閉ノブ、前記放出弁が規定された高さの範囲内に含まれるように前記自走式駐車場の床面から所定の高さに設置される請求項1に記載の移動粉末消火設備。
【請求項４】
前記消火薬剤充填容器が自走式駐車場の柱の車室側に設置され、この消火薬剤充填容器と前記自走式駐車場の柱の車路側に設置された前記ホース格納箱とが消火薬剤導出管によって連結されている請求項1に記載の移動粉末消火設備。
【請求項５】
前記消火薬剤導出管は、前記消火薬剤充填容器に接続される接続口が前記消火薬剤充填容器の上面又は側面に設けられている請求項４に記載の移動粉末消火設備。
【請求項６】
前記消火薬剤導出管は、前記消火薬剤充填容器の上面又は側面から自走式駐車場の柱の車室側の壁面に沿って上方に向かって配管され、前記自走式駐車場の天井壁を這って前記柱の車路側に回り込み、前記柱の車路側の壁面に沿って下方に向かって配管され、前記ホース格納箱の上端部に至る請求項３又は４に記載の移動粉末消火設備。
【発明の詳細な説明】
【技術分野】
【０００１】
本発明は、自走式駐車場などに広く採用されている移動粉末消火設備に関するものである。
【背景技術】
【０００２】
一般に、自走式の立体駐車場などに設置される移動粉末消火設備として、縦長の消火薬剤充填容器と、この消火薬剤充填容器内にガスを供給して加圧状態にする加圧用ガス容器と、消火薬剤充填容器に開閉弁を介して接続される消火ホースとを収納したホース格納箱を立体駐車場の柱の車路側に設置したものがある（特許文献１参照）。また、前記開閉弁の操作や消火ホースの引き出しが容易にできるように、ホース格納箱の前面に開閉扉が設けられている。
【０００３】
しかしながら、上記の移動粉末消火設備にあっては、必要器材の全てがホース格納箱に収納されているため、ホース格納箱自体が大型化して駐車場の車路側に大きく張り出してしまい、車両の入出庫時にホース格納箱が邪魔になるといった問題がある。また、消火ホースと消火薬剤充填容器とがホース格納箱の奥行き方向に並べて収納されているため、消火設備の点検時などで重量の嵩む消火薬剤充填容器をホース格納箱の奥の方から取り出すための作業、及び点検後にホース格納箱の奥の方に収納するための作業が容易でなかった。
【０００４】
そこで、上記問題を解決するものとして、前記ホース格納箱の中には加圧用ガス容器と消火ホースとを収納し、消火薬剤充填容器をホース格納箱から取り出してホース格納箱の後方に隣接して設置し、消火薬剤充填容器とホース格納箱とを締結具によって連結固定するようにした移動粉末消火設備が提案されている（特許文献２）。
【０００５】
しかしながら、上記特許文献２に記載されている移動粉末消火設備にあっては、消火薬剤充填容器をホース格納箱から出し入れする際の面倒な作業は回避できるものの、消火薬剤充填容器とホース格納箱とを前後に並べて一体に連結固定してあるために、特許文献１に記載された移動粉末消火設備と同様、柱の車路側に大きく張り出してしまい、車両の入出庫時には邪魔になるといった問題があった。特に、消火薬剤充填容器及びホース格納箱が自走式駐車場の床面に直接固定されて低い位置に設置されているため、車両のバンパーなどが接触しないようにホース格納箱の回りにガードパイプなどのプロテクタを設ける必要もあった。
【先行技術文献】
【特許文献】
【０００６】
【特許文献１】実用新案登録第２５１５０５８号公報
【特許文献２】特開２０００−３７４７２号公報
【発明の概要】
【発明が解決しようとする課題】
【０００７】
本発明が解決しようとする課題は、消火薬剤充填容器をホース格納箱と分離し、両者を個別に設置すると共に、ホース格納箱を自走式駐車場の床面から上げることで、自走式駐車場の柱の車路側に設置されたホース格納箱の張り出し量を抑えると共にプロテクタの設置を省略することである。
【課題を解決するための手段】
【０００８】
上記課題を解決するため、本発明に係る移動粉末消火設備は、消火薬剤充填容器と、この消火薬剤充填容器に充填された消火薬剤を放出させるための放出弁及びこの放出弁を介して前記消火薬剤充填容器に接続され、先端に噴射ノズルを有する消火ホースが収納されたホース格納箱とが分離して設けられ、前記ホース格納箱が自走式駐車場の柱の車路側であって、且つ前記自走式駐車場の床面から所定の高さで柱の壁に固定されている。
【０００９】
また、本発明の一実施形態では、前記消火薬剤充填容器が蓄圧式消火薬剤充填容器である。
【００１０】
また、本発明の一実施形態では、前記ホース格納箱は前面に開閉扉を有し、この開閉扉に設けられた開閉ノブ、前記放出弁が規定された高さの範囲内に含まれるように前記自走式駐車場の床面から所定の高さに設置されている。
【００１１】
また、本発明の一実施形態では、前記消火薬剤充填容器が自走式駐車場の柱の車室側に設置され、この消火薬剤充填容器と前記自走式駐車場の柱の車路側に設置された前記ホース格納箱とは、前記消火薬剤充填容器から前記ホース格納箱に収納された消火ホースに消火薬剤を供給する消火薬剤導出管によって連結されている。
【発明の効果】
【００１２】
本発明に係る移動粉末消火設備によれば、ホース格納箱と消火薬剤充填容器とが分離して個別に設置されるので、ホース格納箱を小さく薄くすることができ、自走式駐車場の柱の前面側に設置されるホース格納箱の車路側への張り出し量が抑えられて、車両の入出庫時の際にホース格納箱が邪魔になるといったことがない。また、ホース格納箱が駐車場の床面から所定の高さで柱の壁に固定されているので、車両のバンパーによるホース格納箱の接触を回避することができ、ホース格納箱の回りにガードパイプなどのプロテクタを設ける必要がない。さらに、ホース格納箱を前記駐車場の床面から所定の高さに設置したことで、開閉扉の開閉ノブや放出弁などをより操作し易い高さに配置することができた。
【００１３】
また、本発明に係る移動粉末消火設備によれば、前記消火薬剤充填容器として蓄圧式消火薬剤充填容器を用いた場合には、操作が容易であると共に消火薬剤充填容器に加圧ガスを供給する必要がないので、そのための配管や加圧用ガス容器が不要となり、ホース格納箱と消火薬剤充填容器とをつなぐ配管を減らすことができると共にホース格納箱をより小型化することができる。
【図面の簡単な説明】
【００１４】
【図１】本発明の第１実施形態に係る移動粉末消火設備の一部を断面で示した側面図である。
【図２】図１に示したホース格納箱の内部の正面図である。
【図３】図１に示したホース格納箱の正面図である。
【図４】本発明に係る移動粉末消火設備を自走式駐車場に設置した場合の配置図である。
【図５】図４の要部拡大図である。
【図６】本発明の第２実施形態に係る移動粉末消火設備を示す図１と同様の側面図である。
【発明を実施するための形態】
【００１５】
以下、本発明に係る移動粉末消火設備を添付図面に基づいて詳細に説明する。図１乃至図５には、本発明の第１実施形態に係る移動粉末消火設備１が示されており、ホース格納箱２と、このホース格納箱２から分離された蓄圧式消火薬剤充填容器３とを備える。本実施形態では重量及び体積の嵩む蓄圧式消火薬剤充填容器３をホース格納箱２から分離することで、前記ホース格納箱２は消火ホース４のみを収納するだけになるので、従来のものより小型化することができ、全体の厚みもかなり薄くすることができる。特に、この実施形態では、常に容器内部に圧力が掛かっている蓄圧式消火薬剤充填容器３を利用しているので、加圧式消火薬剤充填容器の場合に必要とされた加圧用ガス容器やガスを供給するための配管などが不要となるため、ホース格納箱２がより小型化されると共に配管を減らすことができる。このように小型化されたホース格納箱２は、全体が縦長の直方体形状からなり、前面には開閉扉５が設けられ、この開閉扉５に開閉ノブ６と設置場所を知らせる表示灯７とが設けられている。
【００１６】
前記開閉扉５を開けたホース格納箱２の内部には、前述したように消火ホース４のみが収納されている。この消火ホース４は、この実施形態ではホース格納箱２の内周面に沿って四重に巻かれ、ホース格納箱２の上部に設けられたホース支持棒８に引っ掛けられているが、消火ホース４の格納形態は特に限定されるものではない。また、前記消火ホース４の先端にはノズル弁９を介して噴射ノズル１０が装着され、さらに、消火ホース４の基端には放出弁１１を介して消火薬剤導出管１２の一端が接続されている。
【００１７】
図１乃至図４に示したように、前記ホース格納箱２は、自走式駐車場の柱１６の前面側に設置される。この実施形態では、自走式駐車場の床面１７から所定の高さで開閉扉５を車路側１８ａに向けて柱１６の前面壁１６ａに固定されている。前記の所定の高さとは、車両１９のバンバー２０などの高さ位置以上であるのと同時に、火災発生などで消火活動をする際に操作の支障を来たさない高さである。消火活動の際の操作としては、ホース格納箱２の開閉扉５を開けるための開閉ノブ６の開閉操作、消火ホース４の基端に設けられた放出弁１１を開く操作、そしてホース支持棒８から消火ホース４を外してホース格納箱２から引っ張り出して火災現場まで消火ホース４を延ばした後に、消火ホース４の先端に設けられた噴射ノズル１０のノズル弁９を開く操作などである。
【００１８】
上記の操作を容易に行うための認定基準が定められており、そこには前記開閉ノブ６及び放出弁１１などの操作部が８０ｃｍから１５０ｃｍの範囲に設置されていることが義務付けられている。そこで、本発明ではホース格納箱２の下端を床面から上げることで、前記車両１９のバンパー２０によるホース格納箱２の接触を回避すると共に、開閉ノブ６及び放出弁１１などの操作部の設置範囲を満たすようにしている。
【００１９】
前記蓄圧式消火薬剤充填容器３は円柱形状をしており、むき出しの状態で前記ホース格納箱２が設置された柱１６の後面側すなわち車室側１８ｂに設置されている。具体的には自走式駐車場の床面１７に台座２１を介して、柱１６の後面壁１６ｂに当接した状態で固定されている。蓄圧式消火薬剤充填容器３の上面には前記ホース格納箱２から延びる消火薬剤導出管１２の他端を接続する接続口２２が設けられている。前記消火ホース４の基端に放出弁１１を介して接続された消火薬剤導出管１２は、ホース格納箱２の天板２ａから外部に出て、柱１６の前面壁１６ａから立体駐車場の天井壁２３を這って柱１６の後面壁１６ｂ側に回り込み、後面壁１６ｂに沿って前記蓄圧式消火薬剤充填容器３の上面まで延びて接続口２２に接続されている。ホース格納箱２と蓄圧式消火薬剤充填容器３とをつなぐ配管は、前記の消火薬剤導出管１２の１本のみである。消火薬剤充填容器内を加圧するためのガス供給管が不要となるので、柱１６の回りの配管が簡素化されスッキリしたものとなる。なお、図中の符号２４は蓄圧式消火薬剤充填容器３の上面に設けられた安全弁である。この安全弁２４及び前記接続口２２は、蓄圧式消火薬剤充填容器３の側面側に設けてもよい。
【００２０】
次に、上記構成からなる移動粉末消火設備１を利用した消火活動を説明する。先ず、ホース格納箱２の開閉ノブ６を回して開閉扉５を開き、消火ホース４の基端の放出弁１１を開放する。蓄圧式消火薬剤充填容器３は内部に圧力が掛かっているので、放出弁１１を開放操作することで、容器内に充填されている消火薬剤が消火薬剤導出管１２を通じて消火ホース４に送り込まれる。次いで、消火ホース４をホース支持棒８から外してホース格納箱２の外に引っ張り出し、火災現場まで消火ホース４を延ばした後に消火ホース４の先端に設けられた噴射ノズル１０のノズル弁９を開き、噴射ノズル１０から被消火物に向けて消火薬剤を勢いよく放出させて消火活動を行う。なお、消火活動を終えた後の移動粉末消火設備１の回収及びクリーニングなどについての説明は省略する。
【００２１】
図６には本発明の第２実施形態に係る移動粉末消火設備３１が示されている。この実施形態に係る移動粉末消火設備３１が先の第１実施形態と異なる点は、蓄圧式消火薬剤充填容器３にカバー３２が被せられている点だけであり、その他の構成については何ら変わる所がないので、同一の符号を付すことで、詳細な説明は省略する。
【００２２】
前記蓄圧式消火薬剤充填容器３はボリュームが大きいために目立つが、前記のように蓄圧式消火薬剤充填容器３の全体をカバー３２で被ってしまうことによって、人の注意を逸らすことができ、悪戯などを防ぐのに有効な手段となる他、蓄圧式消火薬剤充填容器３のプロテクタとしても有効となる。
【００２３】
上記の第１及び第２実施形態では蓄圧式消火薬剤充填容器を用いた場合について説明したが、本発明では加圧式消火薬剤充填容器を用いた場合にも適用可能である。その場合、加圧式消火薬剤充填容器内を加圧するためのガスを供給する加圧用ガス容器は、上記ホース格納箱内の空いたスペースに設置してもよく、また、ホース格納箱の外部に設置してもよい。さらに、上記ホース格納箱２内の空いたスペースに一般消火器などを置くことも可能である。
【符号の説明】
【００２４】
１，３１  移動粉末消火設備
２  ホース格納箱
２ａ  天井板
３  蓄圧式消火薬剤充填容器
４  消火ホース
５  開閉扉
６  開閉ノブ
７  表示灯
８  ホース支持棒
９  ノズル弁
１０  噴射ノズル
１１  放出弁
１２  消火薬剤導出管
１６  柱
１６ａ  柱の前面壁
１６ｂ  柱の後面壁
１７  床面
１８ａ  車路側
１８ｂ  車室側
１９  車両
２０  バンパー
２１  台座
２２  消火薬剤導出管の接続口
２３  天井壁
２４  安全弁
３２  カバー
【図１】
2017000218.tif 000003
【図２】
2017000218.tif 000004
【図３】
2017000218.tif 000005
【図４】
2017000218.tif 000006
【図５】
2017000218.tif 000007
【図６】
2017000218.tif 000008